(57)【要約】【課題】組み立てる際やその平面視形状を変更する際などの作業が非常に簡便で、しかも、部品点数が少なく、構造の大幅な簡素化が図られた接続部材を備えて構成されているベビーサークルを提供する。【解決手段】縦杆１と上下の横杆２ａ，２ｂとの端部を接続する接続部材３が、縦杆１の上下端部にそれぞれ取り付けられる第１部材３ａと、横杆２ａ，２ｂの左右端部にそれぞれ取り付けられる第２部材３ｂとから構成され、第１部材３ａは、縦杆１の軸方向に平行に開口する接続両雌口６をそれぞれ備え、第２部材３ｂは、接続両雌口６に抜き差し同軸上に嵌め差込み接続される接続雄口８を備え、かつ、接続両雌口６と接続雄口８とには軸方向に所定の長さ範囲にて摺動可能で周方向に回動不能に係合される係合部９をそれぞれ備えている。【選択図】図２
2013154082.tif 000002
【特許請求の範囲】
【請求項１】
縦杆と上下の横杆、該縦杆と上下の横杆との端部を接続する接続部材と、前記縦杆と上下の横杆との間にわたり張られるシート部材と、からなるサークルセグメントを複数接続して組み立てられるベビーサークルであって、
前記接続部材は、前記縦杆の上下端部にそれぞれ取り付けられる第１部材と、
前記横杆の左右端部にそれぞれ取り付けられる第２部材と、から構成され、
前記第１部材および前記第２部材のいずれか一方側が、前記縦杆の軸方向に向けて開口する接続両雌口をそれぞれ備え、他方側が、前記接続両雌口に抜き差し同軸上に嵌め差し込まれる接続雄口を備え、
かつ、前記接続両雌口と前記接続雄口との間には軸方向に所定の長さ範囲にて抜き差し係脱自在で周方向に回動不能に係合される係合部を備えていることを特徴とするベビーサークル。
【請求項２】
前記係合部は、真円状の前記接続両雌口の周方向に等間隔をおいて開口部側から内部軸方向に向けて溝幅が漸次狭くなるように形成される複数の係合溝と、
円筒状の前記接続雄口の周方向に前記係合溝と対応する等間隔をおいて、かつ、該係合溝の溝幅に対応する形状にて口端面から軸方向に向けて漸次広くなるように形成される複数の係合爪と、からなり、
前記接続雄口側の前記係合爪の前記接続両雌口側の前記係合溝に対する抜き差し換え係合によって、前記第１部材に対する前記第２の部材の接続平面視角度を可変可能に構成したことを特徴とする請求項１に記載のベビーサークル。
【請求項３】
前記シート部材は、少なくとも前記サークルセグメントを形成する大きさに形成されて、前記縦杆を挿通させて該縦杆にそれぞれ取り付ける左右の筒状袋部と、前記上下の横杆のうち、一方の横杆を挿通させて該横杆に取り付ける上下いずれか一方の筒状袋部と、他方の横杆に筒状に折り返し巻き付けられて該横杆に着脱可能に取り付けられる折り返し取付辺部と、を備えていることを特徴とする請求項１に記載のベビーサークル。
【発明の詳細な説明】
【技術分野】
【０００１】
本発明は、家庭や保育園などの子供用施設で乳幼児などを遊ばせるスペース（遊び場）を確保するために使用されるベビーサークル（囲い枠）に係り、特に、複数のサークルセグメントの隣り合わせ接続によってスペースの広さやその組み立て平面視形状を変更することができる構成のベビーサークルに関する。
【背景技術】
【０００２】
乳幼児を安全かつ安心して遊ばせることができるスペースを確保するためのベビーサークルとしては種々の形態が知られている。
例えば、特許文献１および特許文献２などに記載されているように、遊ばせる乳幼児が一人や少人数の場合、大人数の場合や設置場所などに対応させてスペース（遊び場）の広さやその平面視形状を、四角形や多角形などの形態に複数のサークルセグメント（パネル）の隣り合わせ接続によって組み立て変更することができるように構成されているベビーサークルが知られている。
【先行技術文献】
【特許文献】
【０００３】
【特許文献１】実用新案登録第３１４５５００号公報
【特許文献２】実用新案登録第３１２２５４７号公報
【発明の概要】
【発明が解決しようとする課題】
【０００４】
しかしながら、特許文献１に記載の従来技術では、例えば、サークルセグメントの接続数を増やすなどによってスペース（遊び場）を広げたり、平面視形状を四角形から六角形などの多角形に変更する場合、ボルトを緩めたり、ボルトとナットとの脱着が必要になるなどから、その変更作業が非常に不便で、手間が掛るものとなっていた。
すなわち、サークルセグメントを隣り合わせに接続するための接続部材（連結具）は、隣り合う一方のサークルセグメント側に取り付けられる第１部材と、他方のサークルセグメント側に取り付けられて第１部材が同軸上に重合される第２部材と、第１部材と第２部材との上下方向に同軸上に連通する軸孔に挿通されてナットとの螺合により締着される１本のボルトとで構成されている。そして、円筒状に形成されている第１部材と第２部材との重合円周面（係合面）には互いに係合する山部と谷部が円周方向に交互に設けられている。
これにより、ボルトを緩めた状態や取り外した状態で第１部材側の山部を第２部材の谷部に係合させることで、隣り合わせに接続されるサークルセグメントの第１部材と第２部材との接続平面視角度がサークル四角形のときの直角、そして、サークル多角形のときの鈍角にそれぞれ変更保持されるようにしている。
【０００５】
また、特許文献２に記載の従来技術では、特許文献１が有する前記の問題点を解消し得る。すなわち、ボルトを緩めたり、ボルトとナットとの脱着などの作業が不要で、回転座を回転または支持杆をスプリングに抗して軸方向に移動させるといった操作で、ベビーサークルの平面視形状を変更することができるという利点を有するものの、部品点数が多く、構造が非常に複雑である。そのために、各部品の製作やその組み立てが面倒で手間が掛るなどからコストが嵩むおそれがあるなどの問題がある。
【０００６】
そこで、本発明は、このような問題を解消することを課題に創案されたものである。すなわち、組み立てる際や平面視形状を変更する際などの作業性に優れ、しかも、安価に製造し得る接続部材を備えたベビーサークルを提供することなど、が本発明の目的である。
【課題を解決するための手段】
【０００７】
前記課題を解決するために、本発明に係るベビーサークルでは少なくとも以下の構成を具備している。
すなわち、本発明では、縦杆と上下の横杆、該縦杆と上下の横杆との端部を接続する接続部材と、前記縦杆と上下の横杆との間にわたり張られるシート部材とからなるサークルセグメントを複数隣り合わせ接続して組み立てられるベビーサークルであって、
前記接続部材は、前記縦杆の上下端部にそれぞれ取り付けられる第１部材と、前記横杆の左右端部にそれぞれ取り付けられる第２部材とから構成され、前記第１部材および前記第２部材のいずれか一方側が、前記縦杆の軸方向に向けて開口する接続両雌口をそれぞれ備え、他方側が、前記接続両雌口に抜き差し同軸上に嵌め差し込まれる接続雄口を備え、かつ、前記接続両雌口と前記接続雄口との間には軸方向に所定の長さ範囲にて抜き差し係脱自在で周方向に回動不能に係合される係合部を備えていることを特徴とする。
ここで、前記軸方向の所定の長さ範囲とは、ベビーサークルが組み立てられた状態で、例えば、各サークルセグメントの横杆に対して水平方向などから加わる外力などによって、係合部が摩耗や破損などを引き起こさない強度を該係合部に付与するために設計された長さを意味する。
【０００８】
また、前記係合部は、真円状の前記接続両雌口の周方向に等間隔をおいて開口部側から内部軸方向に向けて溝幅が漸次狭くなるように形成される複数の係合溝と、円筒状の前記接続雄口の周方向に前記係合溝と対応する等間隔をおいて、かつ、該係合溝の軸方向の溝形状に対応させて口端面から軸方向に向けて漸次広くなるように形成される複数の係合爪とからなり、前記接続雄口側の前記係合爪の前記接続両雌口側の前記係合溝に対する抜き差し換え係合によって、前記第１部材に対する前記第２部材の接続平面視角度を可変可能とする構成を採用することが好適なものとなる。
【０００９】
また、前記シート部材は、少なくとも前記サークルセグメントを形成する大きさに形成されて、前記縦杆を挿通させて該縦杆にそれぞれ取り付ける筒状袋部と、前記上下の横杆のうち、一方の横杆を挿通させて該横杆に取り付ける上下いずれか一方の筒状袋部と、他方の横杆に筒状に折り返し巻き付けられた状態で該横杆に着脱可能に取り付けられる折り返し取付辺部とを備えている構成を採用することが好適なものとなる。
【００１０】
このような構成によれば、縦杆側上下の第１部材の接続両雌口に対して横杆側左右の第２部材の接続雄口をそれぞれ同軸上に、かつ、ベビーサークルの平面視形状に対応させた接続平面視角度にて嵌め差し込み、複数のサークルセグメントを接続することで、四角形、六角形に加えて、長方形やＬ字型などの平面視形状のベビーサークルを組み立てることができる。
この際、縦杆側上下の第１部材の接続両雌口に対して接続される両サークルセグメントの横杆側左右の第２部材の接続雄口がそれぞれ嵌め差し込まれる。すなわち、一つの第１部材に対して二つの第２部材が隣り合わせに嵌め差込み接続される。また、第１部材に対する第２部材の接続平面視角度は、接続両雌口と接続雄口との間に形成されて周方向に回動不能に係合される係合部によって保持され、また、その保持（剛性）は、軸方向の所定の長さ範囲にて行われる周方向に回動不能な係合構造によって得られる。
具体的に説明すると、周方向に等間隔をおいて開口部側から内部軸方向に向けた所定の長さ範囲にて溝幅が漸次狭くなるように形成される接続両雌口側の複数の係合溝（係合部）に対し、該係合溝と対応する等間隔をおいて、かつ、該係合溝の軸方向の溝形状に対応させて口端面から軸方向に向けた所定の長さ範囲にて漸次広くなるように形成される接続雄口側の複数の係合爪（係合部）が周方向に回動不能に嵌め差し込み係合される係合構造を採用していることで、簡単、かつ、速やかに嵌め差し込むことができ、また、接続平面視角度の保持などに対して破損するなどのおそれがない剛性が得られる。
【００１１】
また、第１部材の接続両雌口に対する第２部材の接続雄口の嵌め差し込み係合状態（接続状態）は、縦杆と上下の横杆との間に張られるシート部材によって保持される。また、シート部材の折り返し取付片部の上下いずれかの横杆に対する脱着によって、接続両雌口に対する接続雄口の抜き差し脱着を行うことができる。例えば、サークルセグメントの接続数を増やしてスペース（遊び場）を広げたり、四角形から六角形などの多角形に平面視形状を変更するなどの際にはシート部材の折り返し取付片部の横杆に対する着脱によって行うことができる。
【００１２】
また、シート部材は、縦杆を挿通させて取り付けるための左右の筒状袋部と、上下いずれか一方の横杆を挿通させて取り付ける筒状袋部とを備えていることで、第１部材の接続両雌口への第２部材の接続雄口の嵌め差し込みによって複数のサークルセグメントを四角形や多角形などに接続した後などにおいて、シート部材の折り返し取付片部を残る他方の横杆に折り返し巻き付けて着脱可能に取り付けることで、前記のように、第１部材の接続両雌口に対する第２部材の接続雄口の嵌め差し込み係合状態がシート部材によって保持されたベビーサークルを組み立てることができる。
【発明の効果】
【００１３】
本発明によれば、複数のサークルセグメントを隣り合わせに接続してベビーサークルを組み立てる際、そして、サークルセグメントの接続数を増やしてスペース（遊び場）を広げたり、平面視形状を四角形から六角形などの多角形に変更する際などの作業を簡単に行うことができる。
つまり、軸方向に所定の長さ範囲にて抜き差し係脱自在で周方向に回動不能に係合される係合部を有する縦杆側の第１部材の接続両雌口に対する横杆側の第２部材の接続雄口の抜き差し脱着や抜き差し換え係合などによって簡単に行うことができる。
また、複数のサークルセグメントの隣り合わせ接続する接続部材は、縦杆側の第１部材と、横杆側の第２部材との２部材からの構成されていることで、従来技術に比べて構造の大幅な簡素化が図られ、安価に製造することができる。
【００１４】
また、第１部材の接続両雌口に対して第２部材の接続雄口を軸方向に抜き差し係脱自在で周方向に回動不能に係合する係合部は、周方向に等間隔をおいて開口部側から内部軸方向に向けて溝幅が漸次狭くなるように形成される接続両雌口側の複数の係合溝と、この係合溝と対応する等間隔を周方向において、該係合溝の軸方向の溝形状に対応させて口端面から軸方向に向けて漸次広くなるように形成される接続雄口側の複数の係合爪とで構成されている。
つまり、接続雄口が接続両雌口に嵌め差し込まれるとき、接続雄口側の係合爪は、当該爪幅よりも広く形成されている接続両雌口側の係合溝の溝入口から溝方向（軸方向）に漸次嵌入されて周方向に回動不能に係合される係合構造を採用したことで、前記のように、ベビーサークルを組み立てる際やスペースを広げたり、平面視形状を変更する際などの抜き差し係脱性がより一層簡便なものとなり、有益である。
【図面の簡単な説明】
【００１５】
【図１】本発明の実施形態に係るベビーサークルを平面視で四角形状に組み立てた状態の一例を示し、（ａ）は、斜視図であり、（ｂ）は、縦杆の第１部材に対する上部横杆の第２部材の接続状態および固定ベルトによる固定状態を示す拡大斜視図であり、（ｃ）は、縦杆の第１部材に対する下部横杆の第２部材の接続状態および固定ベルトによる固定状態を示す拡大斜視図である。
【図２】シート部材を省略して示す同ベビーサークルを示し、（ａ）は、斜視図であり、（ｂ）は、第１部材の接続両雌口に対して第２部材の接続雄口を直角に嵌め差し込み接続するときの状態を示す拡大斜視図である。
【図３】同ベビーサークルを構成する二組のサークルセグメントを平面視でＬ字形状に組み立てた状態を示す斜視図である。
【図４】第１の実施形態に係る接続部材を構成する第１部材を示し、（ａ）は、縦断面図であり、（ｂ）は、接続両雌口の開口端面側から見たときの端面図である。
【図５】同接続部材を構成する第２部材を示し、（ａ）は、斜視図であり、（ｂ）は、縦断面図である。
【図６】同第１部材と同第２部材の係合部を展開して示す概略説明図である。
【図７】シート部材を示す展開図である。
【図８】第２の実施形態に係る接続部材を構成する第１部材を示し、（ａ）は、斜視図であり、（ｂ）は、接続両雌口の開口端面側から見たときの端面図である。
【図９】同接続部材を構成する第２部材を示し、（ａ）は、斜視図であり、（ｂ）は、縦断面図である。
【発明を実施するための形態】
【００１６】
以下、本発明の実施形態について、適宜図面を参照しながら詳細に説明する。
図１は、本発明の実施形態に係るベビーサークルの一例を示す斜視図および拡大斜視図であり、図２は、シート部材を省略して示す同ベビーサークルの斜視図および拡大斜視図であり、図３は、平面視でＬ字形状に組み立てられた二組のサークルセグメントを四角形状に連結する直前の状態を示す斜視図である。
【００１７】
≪ベビーサークルの構成≫
ベビーサークルＡは、複数のサークルセグメント１を隣り合わせに接続することで、図１に示す四角形などの平面視形状に起立組み立てられて乳幼児を安心して遊ばせるためのスペースを囲繞状に形成する。
【００１８】
≪サークルセグメントの構成≫
ここでは、図１〜図３を適宜参照しながら説明する
サークルセグメントａは、図１〜図３に示すように、縦杆１と上下の横杆２ａ，２ｂ、この縦杆１の上下端部に上下の横杆２ａ，２ｂの左右端部をそれぞれ接続する接続部材３と、縦杆１と上下の横杆２ａ，２ｂとの間に張られるシート部材４とを備えて構成されている。
【００１９】
縦杆１および横杆２ａ，２ｂは、金属材や合成樹脂材などの適宜の剛性を有するパイプ材（円筒杆）を用いてそれぞれ所定の長さに形成される。
そして、縦杆１は、図１および図２に示すように、隣り合わせに接続される各サークルセグメントａの上辺部と下辺部をそれぞれ独立させて形成する上下の横杆２ａ，２ｂに対し、各サークルセグメントａの左右辺部を共有（兼用）して形成するものである。
【００２０】
≪第１の実施形態に係る接続部材の構成≫
図４は、第１の実施形態に係る接続部材を構成する第１部材を示す縦断面図および端面図であり、図５は、同接続部材を構成する第２部材を示す斜視図および縦断面図である。
接続部材３は、合成樹脂材料やその他の所望な成形材料を用いた金型成形によって形成される成形品である。
この接続部材３は、縦杆１の上下端部にそれぞれ取り付けられる第１部材３ａと、横杆２ａ，２ｂの左右端部にそれぞれ取り付けられる第２部材３ｂとから構成されている。
【００２１】
≪第１部材および第２部材の構成≫
第１部材３ａは、縦杆１に内嵌めにて嵌め差し込まれて図示省略のリベットなどの抜け止め部材などによって、縦杆１の上下端部にそれぞれ取り付けられる杆取付部５から軸方向に平行で真円状に開口させた接続両雌口６を備えている形態を成している。接続両雌口６は、図４に示すように、杆取付部５の延長軸芯を境に線対称にて第２部材３ｂ側の後記する接続雄口８の外径と略同径の内径にて形成されている。
第２部材３ｂは、横杆２ａ，２ｂが外嵌めにて嵌め差し込まれてリベットなどの抜け止め部材によって、横杆２ａ，２ｂの左右端部にそれぞれ取り付けられる杆取付部７から略直角で円筒状に連設させた接続雄口８を備えている形態を成している。
そして、第１部材３ａの接続両雌口６と第２部材３ｂの接続雄口８との間には軸方向に所定の長さ範囲にて抜き差し係脱自在で周方向に回動不能に係合される係合部９を備えている。
【００２２】
≪係合部の構成≫
図６は、係合部を展開して示す概略説明図である。ここでは、図１および図２、図４および図５を適宜参照しながら説明する。
係合部９は、図４および図５に示すように、接続両雌口６側に設けられる複数の係合溝９ａと、接続雄口８側に設けられる複数の係合爪９ｂとからなる。
係合溝９ａは、図４および図６に示すように、接続両雌口６の周方向に等間隔をおいてその開口途中部位から内部（閉鎖底部）軸方向に向けて溝幅が漸次狭くなるように形成されている。
係合爪９ｂは、図５および図６に示すように、接続雄口８の周方向に接続両雌口６側の係合溝９ａと対応する等間隔をおいて、かつ、該係合溝９ａの軸方向の溝形状に対応させて口端面から軸方向に向けて漸次広くなるように形成されている。
【００２３】
このような形態に形成されている係合溝９ａを有する第１部材３ａの接続両雌口６と係合爪９ｂを有する第２部材３ｂの接続雄口８によれば、接続両雌口６に接続雄口８を嵌め差し込み接続する際に、係合溝９ａに対して係合爪９ｂを簡単、かつ、速やかに係合させて周方向に回動不能に接続することができる。
つまり、図２の（ｂ）および図６に示すように、接続雄口８が接続両雌口６に嵌め差し込まれるとき、接続雄口８側の係合爪９ｂは、当該爪幅よりも広く形成されている接続両雌口６側の係合溝９ａの溝入口から溝方向（軸方向）の所定の長さ範囲にて漸次嵌入されて周方向に回動不能に係合される係合構造である。これにより、図１に示す四角形のベビーサークルＡを組み立てる際やサークルセグメントａの接続数を増やしてスペース（遊び場）を広げたり、平面視形状を変更する際などの抜き差し換え係脱性がより一層簡便なものとなる。
【００２４】
また、第１部材３ａの接続両雌口６側の係合溝９ａは、周方向に等間隔をおいて開口部側から内部軸方向に向けて溝幅が漸次狭くなるように形成され、また、第２部材３ｂの接続雄口８側の係合爪９ｂは、係合溝９ａと対応する等間隔を周方向において該係合溝９ａの軸方向の溝形状に対応させて口端面から軸方向に向けて漸次広くなるように形成されていることで、第１部材３ａと第２部材３ｂとを金型成形する際の軸方向の脱型性が良好、つまり、接合溝９ａを有する接続両雌口６、係合爪９ｂを有する接続雄口８からの脱型性が良好なものとなり、生産性の向上が期待できる。
【００２５】
≪シート部材の構成≫
図７は、シート部材を示す展開図である。ここでは、図１および図３を適宜参照しながら説明する。
シート部材４は、布材などの柔軟性（乳幼児が接触しても当たりが柔らかく感じる程度）を有する素材を用いて、図１および図７に示すように、ベビーサークルＡの直角に連設隣り合う二つの（二面）のサークルセグメントａにおける縦杆１と上下の横杆２ａ，２ｂとの間にわたり張られる程度の大きさに縫製されている。つまり、シート部材４は、図７に示すように、隣り合わせの二つのサークルセグメントａ同士を分断（分離）不能な形態に一体に連設させた横長矩形状に縫製されている。
そして、このシート部材４は、図１および図７に示すように、左右辺部４ａ，４ｂおよび中央の連設辺部４ｃ、そして、連設辺部４ｃを境とするそれぞれの上下辺部４ｄ，４ｅから囲まれた内側両面部分においてはメッシュ状シート部４ｆと成して、保護者などがベビーサークルＡ内で遊ぶ乳幼児を外部から見通すことができるようになっている。
【００２６】
また、横長矩形状に縫製されているシート部材４は、図７に示すように、左右辺部４ａ，４ｂのうち、右側辺部４ｂと連設辺部４ｃに縦杆１を挿通させて該縦杆１にそれぞれ取り付ける筒状袋部１０ａ，１０ｂをそれぞれ縫着などにより備え、上側辺部４ｄには上部横杆２ａを挿通させて該横杆２ａに取り付ける筒状袋部１１を縫着などにより備えている。
さらに、シート部材４は、連設辺部４ｃを境に隣り合うサークルセグメントａを形成するそれぞれの下側辺部４ｅに、下部横杆２ｂに折り返し巻き付けられて取り付けるための折り返し取付辺部１２を縫着などによりそれぞれ備えている。
そして、折り返し取付辺部１２の幅方向の上下縁部分には、長さ方向に沿わせてファスナ１３が縫着などにより取り付けられており、下部横杆２ｂに折り返し取付辺部１２を筒状に折り返し巻き付けてファスナ１３により着脱可能に取り付けるように形成している。
【００２７】
また、シート部材４は、図３および図７に示すように、右側辺部４ｂと左側辺部４ａにファスナ１４をそれぞれ縫着などによって備えている。これにより、図１に示すように、四角形のベビーサークルＡを組み立てるときには、ファスナ１４によって隣り合う二つのサークルセグメントａ同士を接続することで、シート部材４で回りが覆われた四角形のベビーサークルＡを組み立てることができるようにしている。
【００２８】
また、横長矩形状に形成されているシート部材４は、図７に示すように、左右辺部４ａ，４ｂと連設辺部４ｃ、そして上下辺部４ｄ，４ｅにベルベットファスナ（面ファスナ、商標登録マジックテープ）１５を備えた固定ベルト１６ａ，１６ｂを縫着などによりそれぞれ取り付けて、図１の（ｂ）および（ｃ）に示すように、接続部材３の第１部材３ａと第２部材３ｂとに左右辺部４ａ，４ｂと連設辺部４ｃを連結固定し得るようにしている。なお、固定ベルト１６ｂは、上部横杆２ａを挿通取り付ける筒状袋部１１に切目を入れることで、筒状袋部１１の両解放端側に形成されて、図１の（ｂ）に示すように、第２部材３ｂに巻き付け取り付けられるようになっている。
これにより、乳幼児がシート部材４に寄り掛るなどの外力がシート部材４に掛ったときなどにおいて、シート部材４に縫着により取り付けられている筒状袋部１０ａ，１０ｂ、１１と折り返し取付辺部１２などの糸解れや破れなどの破損を防ぐようにしている。
【００２９】
また、二つのサークルセグメントａ同士を一体に連設させてなる横長矩形状のシート部材
４は、図１および図３に示すように、一方のサークルセグメントａ側のメッシュ状シート部４ｆにファスナ１７により開閉される略Ｕ字状や略Ｃ字状などの開口形状を呈する出入り口１８を備えており、この出入り口１８からサークル内に乳幼児などが出入りできるように形成されている。
すなわち、シート部材４は、出入り口１８を備えているものと、出入り口１８を備えていないものとの２種類からなる。
【００３０】
［作用説明］
つぎに、以上のように構成されている第１の実施形態に係る接続部材３が適用されたベビーサークルＡの使用組み立てについて説明する。ここでは、図１〜図３、図６を適宜参照しながら組み立てる手順の一例について説明する。
図１の（ａ）に示す平面視四角形のベビーサークルＡを組み立てる場合には、横長矩形状のシート部材４の各筒状袋部１０ａ，１０ｂ、１１にそれぞれ挿通されて上下端部と左右端部にそれぞれ第１部材３ａ、第２部材３ｂが取り付けられている２本の縦杆１と２本の上部横杆２ａ、そしてシート部材４には取り付けられずに左右端部に第２部材３ｂがそれぞれ取り付けられている２本の下部横杆２ｂから構成されるサークルセグメントａ二組を１セットとして使用する。
【００３１】
そして、一連の組み立て作業がし易いように、縦杆１と上部横杆２ａが取り付けられているシート部材４を上下反転させた状態、つまり、シート部材４の上部横杆２ａが取り付けられている筒状袋部１１側を下にした逆さま状態として、シート部材４に連設して隣り合うサークルセグメントａの上部横杆２ａの第２部材３ｂの接続雄口８を、連設辺部４ｃの筒状袋部１０ｂに取り付けられている縦杆１の上端側の第１部材３ａの接続両雌口６に平面視で直角にそれぞれ嵌め差し込む。
すると、接続雄口８側の係合爪９ｂは、図６に示す展開図のように、接続両雌口６側の係合溝９ａに対してその幅広溝入口から溝方向（軸方向）に所定の長さ範囲にて速やかに漸次嵌入（ガイド）されて（実線の状態から二点鎖線の状態）、周方向に回動不能に係合された第１部材３ａと第２部材３ｂとが接続される。このようにして、図３に示すように、四角形ベビーサークルＡの二面（二辺）をそれぞれ形成する二組のサークルセグメントａをそれぞれ平面視でＬ字形状に組み立てる。
また、このとき、シート部材４に取り付けられずに残る４本の下部横杆２ｂのうち、図３に示すように、２本の下部横杆２ｂの第２部材３ｂの接続雄口８を、Ｌ字形状に組み立てられた二組それぞれのサークルセグメントａにおいて、隣り合う縦杆１の下端側第１部材３ａの接続両雌口６に対してそれぞれ嵌め差し込んで、２本の下部横杆２ｂを隣り合う縦杆１の下端間に取り付けるとともに、シート部材４の下側辺部４ｅの折り返し取付辺部１２を下部横杆２ｂに折り返し巻き付けてファスナ１３にて筒状に閉じる。
これにより、下部横杆２ｂが取り付けられたサークルセグメントａ部分においては上下横杆２ａ，２ｂの第２部材３ｂが、縦杆１の第１部材３ａから不用意に抜け外れないようにシート部材４によって固定される。
なお、図３は、図１の（ａ）との関係から見易くするために、シート部材４を上下に反転させない状態で縦杆１に対して上部横杆２ａと一部の下部横杆２ｂを接続し、二組のサークルセグメントａをそれぞれ平面視でＬ字形状に組み立てた状態を示している。
【００３２】
つぎに、Ｌ字形に組み立てられた二組のサークルセグメントａのファスナ１４を備えるシート部材４のそれぞれの左右辺部４ａ，４ｂ側同士を対向接近させた状態で、当該左右辺部４ａ，４ｂ側の上部横杆２ａの第２部材３ｂの接続雄口８を、筒状袋部１０ａに取り付けられている縦杆１の下端側の第１部材３ａの接続両雌口６に平面視で直角にそれぞれ嵌め差し込み接続して、二組のサークルセグメントａの上辺部側を四角形に連結する。
【００３３】
最後に、縦杆１の下端部に取り付けられて下部横杆２ｂが取り付けられずに残る第１部材３ａの接続両雌口６に対し、図３に実線で示す残る２本の下部横杆２ｂの第２部材３ｂの接続雄口８を嵌め差し込み接続するとともに、二組のサークルセグメントａのシート部材４同士をファスナ１４にて繋ぐ。
また、シート部材４の下側辺部４ｅの残る二面（二辺）の折り返し取付辺部１２を最後に取り付けた下部横杆２ｂに対して折り返し巻き付けてファスナ１３にて筒状に閉じるとともに、シート部材４の左右辺部４ａ，４ｂ、連設辺部４ｃを、図１の（ｂ）および（ｃ）に示すように、固定ベルト１６ａ，１６ｂによって縦杆１の第１部材３ａと上下横杆２ａ，２ｂの第２部材３ｂに連結固定する。
これにより、縦杆１の第１部材３ａの接続両雌口６に対する上下横杆２ａ，２ｂの第２部材３ｂの接続雄口８の抜け止めが図られたベビーサークルＡの組み立てが完了し、逆さまの状態で組み立てられたベビーサークルＡを上下反転させることで、図１の（ａ）に示す四角形のベビーサークルＡとして乳幼児などを安全かつ安心して遊ばせることができるスペース（遊び場）を組み立て確保する。
【００３４】
そして、乳幼児の人数に合わせて図１の（ａ）に示す四角形のベビーサークルＡからサークルセグメントａの接続数を増やして、図示省略の長方形やＬ字型、或いは六角形などの多角形に平面視形状を変更する。ここでは、四角形から六角形に変更する場合を一例に挙げて説明する。
【００３５】
まず、四角形に組み立てられているベビーサークルＡを上下逆さまにした状態で、全ての固定ベルト１６ａ，１６ｂを取り外し、そして四角各辺の下部横杆２ｂからシート部材４の全ての折り返し取付辺部１２を取り外すとともに、全ての下部横杆２ｂを縦杆１の下端間から取り外す。また、二組のサークルセグメントａのシート部材４を繋ぐ二カ所のファスナ１４のうち、一ヵ所のファスナ１４にて繋がれているシート部材４を分離する。
この状態で、縦杆１の上端側第１部材３ａと上部横杆２ａの第２部材３ｂとの接続平面視角度を直角から鈍角（１２０°）に変更するように第１部材３ａの接続両雌口６に対して第２部材３ｂの接続雄口８を抜き差し換える作業を行う。これにより、六角形のベビーサークルのうち、四面を形成する状態で縦杆１の上端側第１部材３ａと上部横杆２ａの第２部材３ｂとが接続される。
【００３６】
つぎに、解放状態にあるサークルセグメントａの縦杆１の上端側第１部材３ａの接続両雌口６の一方側に対して増設する一組のサークルセグメントａの上部横杆２ａの第２部材３ｂの接続雄口８を平面視で鈍角（１２０°）にてそれぞれ嵌め差し込み接続することで、六角形ベビーサークルの上辺部側が一連に接続された組み立て形態となる。
そして、取り外しておいた全ての下部横杆２ｂと新たに追加した２本の下部横杆２ｂとを前記したように、隣り合う縦杆１の下端部間にわたり取り付けるとともに、シート部材４同士をファスナ１４にて繋ぐ。最後に、折り返し取付辺部１２を下部横杆２ｂに対して折り返し巻き付けてファスナ１３にて筒状に閉じ、さらに、固定ベルト１６ａ，１６ｂを前記したように、第１部材３ａと第２部材３ｂにそれぞれ連結固定する。これにより、四角形から六角形に変更されたベビーサークルを組み立てることができる。上下逆さま状態で六角形に組み換えられたベビーサークルを上下反転させて戻す。この場合、数人で行うことが望ましい。
【００３７】
なお、広いスペースを確保する場合、つまり、組み立て後において戻すベビーサークルの上下反転に無理がでる場合などには、一連の組み立て作業がし難い面があるが、上下逆さまに反転させずに作業するとよい。
【００３８】
≪第２の実施形態に係る接続部材の構成≫
つぎに、第２の実施形態に係る接続部材２０について説明する。
図８は、第２の実施形態に係る接続部材を構成する第１部材を示す斜視図および端面図であり、図９は、同接続部材を構成する第２部材を示す斜視図および縦断面図である。
なお、この実施形態に係る接続部材２０は、図８および図９に示すように、第１部材２０ａの接続両雌口２１と第２部材２０ｂの接続雄口２２との間に形成される係合部２３の形態を変えた以外の構成要素においては、前記の第１実施形態に係る接続部材３の第１部材３ａと第２部材３ｂと基本的に同じことから、同じ構成要素に同じ符号を付することで重複説明は省略する。
【００３９】
すなわち、図８および図９に示すように、第１部材２０ａの接続両雌口２１と第２部材２０ｂの接続雄口２２との間にはローレット形状にて軸方向に所定の長さ範囲にて抜き差し係脱自在で周方向に回動不能に係合される係合部２３を備えている。
【００４０】
≪係合部の構成≫
係合部２３は、図８および図９に示すように、接続両雌口２１側に設けられる複数の係合溝２３ａと、接続雄口２２側に設けられる複数の係合リブ２３ｂとからなる。
係合溝２３ａは、図８に示すように、接続両雌口２１の周方向に等間隔をおいてその開口縁から内部（閉鎖底部）軸方向に向けて凹状に形成されている。
係合リブ２３ｂは、図９に示すように、接続雄口２２の周方向に接続両雌口２１側の係合溝２３ａと対応する等間隔をおいて、かつ、該係合溝２３ａの軸方向の溝幅にて軸方向に凸状に形成されている。
【００４１】
このように形態に形成されている係合溝２３ａを有する第１部材２０ａの接続両雌口２１と係合リブ２３ｂを有する第２部材２０ｂの接続雄口２２によれば、接続両雌口２１側の係合溝２３ａに接続雄口２２側の係合リブ２３ｂを位置合わせ嵌め差し込むことで、第１部材２０ａに対して第２部材２０ｂを周方向に回動不能に接続することができる。
そして、サークルセグメントａの接続数を増やしてスペース（遊び場）を広げたり、ベビーサークルＡの平面視形状を変更する際などには前記の実施形態詳述のように、サークルセグメントａの折り返し取付辺部１２を下部横杆２ｂから取り外すなどの一連の分解作業を行ったのちに、第１部材２０ａの接続両雌口２１に対する第２部材２０ｂの接続雄口２２の抜き差し換え係合作業と、増設する一組のサークルセグメントａの接続作業を行うことによって、例えば、図１の（ａ）に示す四角形から図示省略の六角形などの多角形に変更されたベビーサークルを組み立てることができる。
【００４２】
以上、本発明の実施形態の具体例を詳細に説明したが、前記詳述の実施形態は例示にすぎなく、特許請求の範囲を限定するものではない。特許請求の範囲に記載の技術事項には、本発明の要旨を逸脱しない範囲で設計変更などしたものであっても含まれるものである。
例えば、接続部材を構成する第１部材の接続両雌口と第２部材の接続雄口との間に、軸方向に所定の長さ範囲にて抜き差し係脱自在で周方向に回動不能に係合される係合部を、周方向多角形状に形成するなどによって、第１部材に対する第２部材の接続平面視角度を任意に回動不能に変更することができる。
また、シート部材は、各サークルセグメントの縦杆と横杆との間に張られる程度の大きさに形成して、四角形のベビーサークルを組み立てる場合、ファスナにて繋ぐようにすることができる。
【００４３】
また、接続部材を構成する第１部材側に接続両雄口を備え、第２部材側に接続雌口を備えるなどの変更を行うことができる。
また、シート部材の折り返し取付辺部を、上部横杆に折り返し巻き付けるように上側辺部側に備えることや、上下辺部の双方に備えることができる。
【符号の説明】
【００４４】
Ａ      ベビーサークル
ａ      サークルセグメント
１      縦杆
２ａ，２ｂ  横杆
３，２０  接続部材
３ａ，２０ａ  第１部材
３ｂ，２０ｂ  第２部材
４      シート部材
６，２１  接続両雌口
８，２２  接続雄口
９，２３  係合部
９ａ    係合溝
９ｂ    係合爪
１０ａ，１０ｂ，１１  筒状袋部
１２    折り返し取付辺部
【図１】
2013154082.tif 000003
【図２】
2013154082.tif 000004
【図３】
2013154082.tif 000005
【図４】
2013154082.tif 000006
【図５】
2013154082.tif 000007
【図６】
2013154082.tif 000008
【図７】
2013154082.tif 000009
【図８】
2013154082.tif 000010
【図９】
2013154082.tif 000011